【手続補正書】
【提出日】平成19年5月25日(2007.5.25)
【手続補正１】
【補正対象書類名】特許請求の範囲
【補正対象項目名】全文
【補正方法】変更
【補正の内容】
【特許請求の範囲】
【請求項１】
電子名刺を他のコンタクト情報処理システムとの間で交換可能なコンタクト情報処理システムにおいて、
電子名刺を電子メールの形態で送受信する通信手段と、
前記電子メールと関連付けて電子名刺に関連する関連情報を記憶しておく記憶手段と、
前記記憶手段に対して関連情報を登録する手段と、
前記記憶手段に記憶された関連情報を表示可能な表示手段と
前記記憶手段に記憶された関連情報を使用して予め定められた情報処理を行う情報処理手段と
を具えたことを特徴とするコンタクト情報処理システム。
【請求項２】
請求項１に記載のコンタクト情報処理システムにおいて、前記情報処理手段は、過去に送った電子名刺に対する更新を検出する検出手段と、当該検出された更新の電子名刺を過去に送ったメールアドレスを前記表示手段に表示させる表示制御手段とをさらに備えたことを特徴とするコンタクト情報処理システム。
【請求項３】
請求項２に記載のコンタクト情報処理システムにおいて、前記情報処理手段は、前記表示手段により表示された更新の電子名刺のメールアドレスの中から、更新の電子名刺を送信するメールアドレスをユーザの操作で指示する指示手段をさらに有し、当該指示されたメールアドレスに対して、更新された電子名刺を前記通信手段により送信することを特徴とするコンタクト情報処理システム。
【請求項４】
請求項２に記載のコンタクト情報処理システムにおいて、前記検出手段は一定周期で前記更新の検出を繰り返すことを特徴とするコンタクト情報処理システム。
【請求項５】
請求項２に記載のコンタクト情報処理システムにおいて、他の電子処理システムから更新の電子名刺が送られてきた場合には、当該更新の電子名刺で、過去に受信した電子名刺を更新する更新手段をさらに備えたことを特徴とするコンタクト情報処理システム。
【請求項６】
請求項１に記載のコンタクト情報処理システムにおいて、前記記憶手段に記憶された関連情報は、前記電子名刺を送受信した他のコンタクト情報処理システムとの間で共有可能であることを特徴とするコンタクト情報処理システム。
【請求項７】
請求項１に記載のコンタクト情報処理システムにおいて、前記情報処理手段は、予め定められたチェック項目に従って前記記憶手段に記憶された関連情報に対してチェックを行うチェック手段と、該チェック手段によるチェックに対応する提案を前記表示手段に表示させる表示制御手段とをさらに備えたことを特徴とするコンタクト情報処理システム。
【請求項８】
請求項７に記載のコンタクト情報処理システムにおいて、前記チェック項目は定期的に行われるイベントであって、前記電子名刺を受信した人間に関連するイベントを実施する時期になったか否かであることを特徴とするコンタクト情報処理システム。
【請求項９】
請求項８に記載のコンタクト情報処理システムにおいて、前記イベントの中には年賀状の送付、暑中見舞いの送付、お中元、お歳暮等の送付のいずれかが含まれることを特徴とするコンタクト情報処理システム。
【請求項１０】
請求項８に記載のコンタクト情報処理システムにおいて、前記チェック手段はさらにチェック項目に関連する電子名刺のメールアドレスを検出し、当該検出したメールアドレスを前記表示手段により表示させることを特徴とするコンタクト情報処理システム。
【請求項１１】
請求項１に記載のコンタクト情報処理システムにおいて、前記情報処理手段は、予め定められたチェック項目に従って、コンタクト情報処理システム内に記憶されている電子名刺に対してチェックを行うチェック手段と、該チェック手段によるチェックに対応する提案を前記表示手段に表示させる表示制御手段とをさらに備えたことを特徴とするコンタクト情報処理システム。
【請求項１２】
請求項１１に記載のコンタクト情報処理システムにおいて、前記チェック項目は過去に電子名刺を他のコンタクト情報処理システムから受信しており、および当該受信した電子名刺の送り主に対して、電子名刺を返信したか否かであることを特徴とするコンタクト情報処理システム。
【請求項１３】
請求項１２に記載のコンタクト情報処理システムにおいて、前記チェック手段により電子名刺を返信していないことが検出された場合には、前記表示制御手段は返信のための電子名刺の作成を促すメッセージを前記表示手段により表示させることを特徴とするコンタクト情報処理システム。
【請求項１４】
請求項１１に記載のコンタクト情報処理システムにおいて、前記チェック項目はコンタクト情報処理システムの電子名刺に係わる初期設定が行われたか否かであることを特徴とするコンタクト情報処理システム。
【請求項１５】
請求項１４に記載のコンタクト情報処理システムにおいて、前記チェック手段により前記初期設定が行われていないことが検出された場合には、前記表示制御手段は初期設定を促すメッセージを前記表示手段により表示させることを特徴とするコンタクト情報処理システム。
【請求項１６】
請求項１５に記載のコンタクト情報処理システムにおいて、前記初期設定は、コンタクト情報処理システムのユーザの電子名刺の作成であることを特徴とするコンタクト情報処理システム。
【請求項１７】
請求項１６に記載のコンタクト情報処理システムにおいて、前記情報処理手段は、電子名刺を作成するための手段と前記初期設定を促すメッセージが表示された場合には、前記電子名刺を作成するための手段の起動を指示する手段とをさらに備えたことを特徴とするコンタクト情報処理システム。
【請求項１８】
請求項１１に記載のコンタクト情報処理システムにおいて、前記チェック手段は提案に対応するチェック項目がクリアされたか否かをも判定し、チェック項目がクリアされた場合には、前記表示手段による表示を行わないように制御することを特徴とするコンタクト情報処理システム。
【請求項１９】
請求項１に記載のコンタクト情報処理システムにおいて、前記情報処理手段は、他のコンタクト情報処理システムに対して調査の依頼内容を含む調査依頼を作成する手段と、調査依頼の送付先のメールアドレスを指示する指示手段とを有し、当該指示されたメールアドレスに対して前記通信手段は作成された電子名刺を電子メールにより送信することを特徴とするコンタクト情報処理システム。
【請求項２０】
請求項１９に記載のコンタクト情報処理システムにおいて、前記調査依頼は電子名刺に関連する情報の調査依頼であることを特徴とするコンタクト情報処理システム。
【請求項２１】
請求項１９に記載のコンタクト情報処理システムにおいて、前記調査依頼は他のコンタクト情報処理システムの記憶手段に記憶された関連情報の調査依頼である特徴とするコンタクト情報処理システム。
【請求項２２】
請求項１９から２１のいずれかに記載のコンタクト情報処理システムにおいて、前記通信手段は他のコンタクト情報処理システムから受信した回答を受信し、前記情報処理手段は、当該受信した複数の回答をとりまとめる手段をさらに備えることを特徴とするコンタクト情報処理システム。
【請求項２３】
請求項１９から２２のいずれかに記載のコンタクト情報処理システムにおいて、前記情報処理手段は、他のコンタクト情報処理システムから調査依頼を前記通信手段により受信した場合に当該受信した調査依頼に対する回答を作成する手段をさらに有し、当該作成された回答を前記通信手段により調査依頼主に対して電子メールにより送信することを特徴とするコンタクト情報処理システム。
【請求項２４】
請求項２３に記載のコンタクト情報処理システムにおいて、前記調査依頼の中には検索のためのキーワードが含まれており、前記回答を作成する手段は、前記キーワードを使用して保有する電子名刺および／または記憶手段に記憶された関連情報の検索し、該検索の結果が前記回答の作成に使用されることを特徴とするコンタクト情報処理システム。
【請求項２５】
請求項２４に記載のコンタクト情報処理システムにおいて、前記検索の結果から前記回答の作成に使用する情報を選択する選択手段を前記情報処理手段がさらに備えたことを特徴とするコンタクト情報処理システム。
【請求項２６】
請求項２５に記載のコンタクト情報処理システムにおいて、前記情報処理手段は、前記検索によりキーワードに該当する情報が得られない場合に調査依頼の転送先のメールアドレスを指示する指示手段とをさらに有し、前記通信手段は当該指示されたメールアドレスに、前記通信手段により受信した調査依頼を転送することを特徴とするコンタクト情報処理システム。
【請求項２７】
請求項１に記載のコンタクト情報処理システムにおいて、
前記情報処理手段は、複数の店に関する案内情報をＷＥＢページの形態で提供する手段と、前記ＷＥＢページを使用して前記他のコンタクト情報処理システムから要求された特定の店の電子名刺を提供する手段とをさらに備えたことを特徴とするコンタクト情報処理システム。
【請求項２８】
請求項２７に記載のコンタクト情報処理システムにおいて、前記提供する手段により提供される電子名刺には店を識別するためのＩＤ情報が含まれており、電子名刺を提供した相手に対して該ＩＤに対応するニュースを前記関連情報として提供可能としたことを特徴とするコンタクト情報処理システム。
【請求項２９】
電子名刺を他のコンタクト情報処理システムとの間で交換可能なコンタクト情報処理システムのコンタクト情報処理方法において、前記コンタクト情報処理システムは、
電子名刺を電子メールの形態で送受信する通信手段と
前記電子メールと関連付けて電子名刺に関連する関連情報を記憶しておく記憶手段と
前記記憶手段に対して関連情報を登録する手段と、
前記記憶手段に記憶された関連情報を表示可能な表示手段と、
前記記憶手段に記憶された関連情報を使用して予め定められた情報処理を行う情報処理手段と
を具え、
前記通信手段により電子名刺を電子メールの形態で送受信し、
前記記憶手段により前記電子メールと関連付けて電子名刺に関連する関連情報を記憶しておき、
前記登録する手段により前記記憶手段に対して関連情報を登録し、
表示手段により前記記憶手段に記憶された関連情報を表示可能となし、
前記情報処理手段により前記記憶手段に記憶された関連情報を使用して予め定められた情報処理を行う
ことを特徴とするコンタクト情報処理方法。
【請求項３０】
請求項２９に記載のコンタクト情報処理方法において、
前記情報処理手段は、過去に送った電子名刺に対する更新を検出する検出手段と、当該検出された更新の電子名刺を過去に送ったメールアドレスを前記表示手段に表示させる表示制御手段とをさらに備え、前記検出手段により過去に送った電子名刺に対する更新を検出し、前記表示制御手段により当該検出された更新の電子名刺のメールアドレスを前記表示手段に表示させることを特徴とするコンタクト情報処理方法。
【請求項３１】
請求項３０に記載のコンタクト情報処理方法において、前記情報処理手段は、前記表示手段により表示された更新の電子名刺のメールアドレスの中から、更新の電子名刺を送信するメールアドレスをユーザの操作で指示する指示手段をさらに有し、前記表示手段により更新の電子メールのメールアドレスを表示し、当該表示されたメールアドレスの中から、更新の電子名刺を送信するメールアドレスをユーザの操作で前記指示手段により指示し、当該指示されたメールアドレスに対して、更新された電子名刺を前記通信手段により送信することを特徴とするコンタクト情報処理方法。
【請求項３２】
請求項３０に記載のコンタクト情報処理方法において、前記検出手段は一定周期で前記更新の検出を繰り返すことを特徴とするコンタクト情報処理方法。
【請求項３３】
請求項３０に記載のコンタクト情報処理方法において、他の電子処理システムから更新の電子名刺が送られてきた場合には、当該更新の電子名刺で、過去に受信した電子名刺を更新する更新手段をさらに備えたことを特徴とするコンタクト情報処理方法。
【請求項３４】
請求項２９に記載のコンタクト情報処理方法において、前記記憶手段に記憶された関連情報は、前記電子名刺を送受信した他のコンタクト情報処理システムとの間で共有可能であることを特徴とするコンタクト情報処理方法。
【請求項３５】
請求項２９に記載のコンタクト情報処理方法において、前記情報処理手段は、予め定められたチェック項目に従って前記記憶手段に記憶された関連情報に対してチェックを行うチェック手段と、該チェック手段によるチェックに対応する提案を前記表示手段に表示させる表示制御手段とをさらに備え、予め定められたチェック項目に従って前記記憶手段に記憶された関連情報に対して前記チェック手段によりチェックを行い、前記表示制御手段により、該チェック手段によるチェックに対応する提案を前記表示手段に表示させることを特徴とするコンタクト情報処理方法。
【請求項３６】
請求項３５に記載のコンタクト情報処理方法において、前記チェック項目は定期的に行われるイベントであって、前記電子名刺を受信した人間に関連するイベントを実施する時期になったか否かであることを特徴とするコンタクト情報処理方法。
【請求項３７】
請求項３５に記載のコンタクト情報処理方法において、前記イベントの中には年賀状の送付、暑中見舞いの送付、お中元、お歳暮等のいずれかが含まれることを特徴とするコンタクト情報処理方法。
【請求項３８】
請求項３６に記載のコンタクト情報処理方法において、前記チェック手段はさらにチェック項目に関連する電子名刺のメールアドレスを検出し、当該検出したメールアドレスを前記表示手段により表示させることを特徴とするコンタクト情報処理方法。
【請求項３９】
請求項２９に記載のコンタクト情報処理システムにおいて、前記情報処理手段は、予め定められたチェック項目に従って、コンタクト情報処理システム内に記憶されている電子名刺に対してチェックを行うチェック手段と、該チェック手段によるチェックに対応する提案を前記表示手段に表示させる表示制御手段とをさらに備え、前記チェック手段により予め定められたチェック項目に従って、コンタクト情報処理システム内に記憶されている電子名刺に対してチェックを行い、該チェック手段によるチェックに対応する提案を前記表示制御手段により前記表示手段に表示させることを特徴とするコンタクト情報処理方法。
【請求項４０】
請求項３９に記載のコンタクト情報処理方法において、前記チェック項目は過去に電子名刺を他のコンタクト情報処理システムから受信しており、および当該受信した電子名刺の送り主に対して、電子名刺を返信したか否かであることを特徴とするコンタクト情報処理方法。
【請求項４１】
請求項４０に記載のコンタクト情報処理方法において、前記チェック手段により電子名刺を返信していないことが検出された場合には、前記表示制御手段は返信のための電子名刺の作成を促すメッセージを前記表示手段により表示させることを特徴とするコンタクト情報処理方法。
【請求項４２】
請求項３９に記載のコンタクト情報処理方法において、前記チェック項目はコンタクト情報処理システムの電子名刺に係わる初期設定が行われたか否かであることを特徴とするコンタクト情報処理方法。
【請求項４３】
請求項４２に記載のコンタクト情報処理方法において、前記チェック手段により前記初期設定が行われていないことが検出された場合には、前記表示制御手段は初期設定を促すメッセージを前記表示手段により表示させることを特徴とするコンタクト情報処理方法。
【請求項４４】
請求項４３に記載のコンタクト情報処理方法において、前記初期設定は、コンタクト情報処理システムのユーザの電子名刺の作成であることを特徴とするコンタクト情報処理方法。
【請求項４５】
請求項４４に記載のコンタクト情報処理方法において、前記情報処理手段は、電子名刺を作成するための手段と前記初期設定を促すメッセージが表示された場合には、前記電子名刺を作成するための手段の起動を指示する手段とをさらに備え、前記初期設定を促すメッセージが表示された場合には、前記指示手段により前記電子名刺を作成するための手段の起動を指示することを特徴とするコンタクト情報処理方法。
【請求項４６】
請求項３９に記載のコンタクト情報処理方法において、前記チェエク手段は提案に対応するチェック項目がクリアされたか否かをも判定し、チェック項目がクリアされた場合には、前記表示手段による表示を行わないように制御することを特徴とするコンタクト情報処理方法。
【請求項４７】
請求項２９に記載のコンタクト情報処理方法において、前記情報処理手段は、他のコンタクト情報処理システムに対して調査の依頼内容を含む調査依頼を作成する手段と、調査依頼の送付先のメールアドレスを指示する指示手段とを有し、前記調査依頼を作成する手段により、他のコンタクト情報処理システムに対して調査の依頼内容を含む調査依頼を作成し、調査依頼の送付先のメールアドレスを前記指示手段により指示し、当該指示されたメールアドレスに対して前記通信手段は作成された電子名刺を電子メールにより送信することを特徴とするコンタクト情報処理方法。
【請求項４８】
請求項４７に記載のコンタクト情報処理方法において、前記調査依頼は電子名刺に関連する情報の調査依頼であることを特徴とするコンタクト情報処理方法。
【請求項４９】
請求項４７に記載のコンタクト情報処理方法において、前記調査依頼は他のコンタクト情報処理システムの記憶手段に記憶された関連情報の調査依頼である特徴とするコンタクト情報処理方法。
【請求項５０】
請求項４７から４９のいずれかに記載のコンタクト情報処理方法において、前記情報処理手段は、受信した複数の回答をとりまとめる手段をさらに備え、前記通信手段は他のコンタクト情報処理システムから受信した回答を受信し、当該受信した複数の回答を前記取りまとめる手段によりとりまとめることを特徴とするコンタクト情報処理方法。
【請求項５１】
請求項４７から４９のいずれかに記載のコンタクト情報処理方法において、前記情報処理手段は、他のコンタクト情報処理システムから調査依頼を前記通信手段により受信した場合に当該受信した調査依頼に対する回答を作成する手段をさらに有し、他のコンタクト情報処理システムから調査依頼を前記通信手段により受信した場合に当該受信した調査依頼に対する回答を前記回答を作成する手段により作成し、当該作成した回答を前記通信手段により調査依頼主に対して電子メールにより送信することを特徴とするコンタクト情報処理方法。
【請求項５２】
請求項５１に記載のコンタクト情報処理方法において、前記調査依頼の中には検索のためのキーワードが含まれており、前記回答を作成する手段は、前記キーワードを使用して保有する電子名刺および／または記憶手段に記憶された関連情報の検索し、該検索の結果が前記回答の作成に使用されることを特徴とするコンタクト情報処理方法。
【請求項５３】
請求項５２に記載のコンタクト情報処理方法において、前記検索の結果から前記回答の作成に使用する情報を選択する選択手段を前記情報処理手段がさらに備え、該選択手段により、前記検索の結果から前記回答の作成に使用する情報を選択することを特徴とするコンタクト情報処理方法。
【請求項５４】
請求項５３に記載のコンタクト情報処理方法において、前記情報処理手段は、前記検索によりキーワードに該当する情報が得られない場合に調査依頼の転送先のメールアドレスを指示する指示手段とをさらに有し、前記検索によりキーワードに該当する情報が得られない場合に、前記指示手段により調査依頼の転送先のメールアドレスを指示し、前記通信手段は当該指示されたメールアドレスに、前記通信手段により受信した調査依頼を転送することを特徴とするコンタクト情報処理方法。
【請求項５５】
請求項２９に記載のコンタクト情報処理方法において、前記情報処理手段は、複数の店に関する案内情報をＷＥＢページの形態で提供する手段と、前記ＷＥＢページを使用して前記他のコンタクト情報処理システムから要求された特定の店の電子名刺を提供する手段とをさらに備え、前記ＷＥＢページの形態で提供する手段により複数の店に関する案内情報をＷＥＢページの形態で提供し、前記ＷＥＢページを使用して前記他のコンタクト情報処理システムから要求された特定の店の電子名刺を前記電子名刺を提供する手段により提供することを特徴とするコンタクト情報処理方法。
【請求項５６】
請求項５５に記載のコンタクト情報処理方法において、前記提供する手段により提供される電子名刺には店を識別するためのＩＤ情報が含まれており、電子名刺を提供した相手に対して該ＩＤに対応するニュースを前記関連情報として提供可能としたことを特徴とするコンタクト情報処理方法。
【請求項５７】
電子名刺を他のコンタクト情報処理システムとの間で交換可能なコンタクト情報処理システムにおいて実行されるコンタクト情報処理プログラムにおいて、前記コンタクト情報処理システムは前記電子メールと関連付けて電子名刺に関連する関連情報を記憶しておく記憶手段を有し、
該コンタクト情報処理プログラムは、
電子名刺を電子メールの形態で送受信する通信ステップと、
前記記憶手段に対して関連情報を登録するステップと、
前記記憶手段に記憶された関連情報を表示可能な表示ステップと
前記記憶手段に記憶された関連情報を使用して予め定められた情報処理を行う情報処理ステップと
を具えたことを特徴とするコンタクト情報処理プログラム。
【請求項５８】
請求項５７に記載のコンタクト情報処理プログラムにおいて、前記情報処理ステップは、過去に送った電子名刺に対する更新を検出する検出ステップと、当該検出された更新の電子名刺を過去に送ったメールアドレスを前記表示ステップで表示させる表示制御ステップとをさらに備えたことを特徴とするコンタクト情報処理プログラム。
【請求項５９】
請求項５８に記載のコンタクト情報処理プログラムにおいて、前記情報処理ステップは、前記表示ステップにより表示された更新の電子名刺のメールアドレスの中から、更新の電子名刺を送信するメールアドレスをユーザの操作で指示する指示ステップをさらに有し、当該指示されたメールアドレスに対して、更新された電子名刺を前記通信ステップにより送信することを特徴とするコンタクト情報処理プログラム。
【請求項６０】
請求項５８に記載のコンタクト情報処理プログラムにおいて、前記検出ステップは一定周期で前記更新の検出を繰り返すことを特徴とするコンタクト情報処理プログラム。
【請求項６１】
請求項５８に記載のコンタクト情報処理プログラムにおいて、他の電子処理システムから更新の電子名刺が送られてきた場合には、当該更新の電子名刺で、過去に受信した電子名刺を更新する更新ステップをさらに備えたことを特徴とするコンタクト情報処理プログラム。
【請求項６２】
請求項５７に記載のコンタクト情報処理プログラムにおいて、前記記憶手段に記憶された関連情報は、前記電子名刺を送受信した他のコンタクト情報処理システムとの間で共有可能であることを特徴とするコンタクト情報処理プログラム。
【請求項６３】
請求項５７に記載のコンタクト情報処理プログラムにおいて、前記情報処理ステップは、予め定められたチェック項目に従って前記記憶手段に記憶された関連情報に対してチェックを行うチェックステップと、該チェックステップによるチェックに対応する提案を前記表示ステップで表示させる表示制御ステップとをさらに備えたことを特徴とするコンタクト情報処理プログラム。
【請求項６４】
請求項６３に記載のコンタクト情報処理プログラムにおいて、前記チェック項目は定期的に行われるイベントであって、前記電子名刺を受信した人間に関連するイベントを実施する時期になったか否かであることを特徴とするコンタクト情報処理プログラム。
【請求項６５】
請求項６４に記載のコンタクト情報処理プログラムにおいて、前記イベントの中には年賀状の送付、暑中見舞いの送付、お中元、お歳暮等の送付のいずれかが含まれることを特徴とするコンタクト情報処理プログラム。
【請求項６６】
請求項６４に記載のコンタクト情報処理プログラムにおいて、前記チェックステップはさらにチェック項目に関連する電子名刺のメールアドレスを検出し、当該検出したメールアドレスを前記表示ステップにより表示させることを特徴とするコンタクト情報処理プログラム。
【請求項６７】
請求項５７に記載のコンタクト情報処理プログラムにおいて、前記情報処理ステップは、予め定められたチェック項目に従って、コンタクト情報処理システム内に記憶されている電子名刺に対してチェックを行うチェックステップと、該チェックステップによるチェックに対応する提案を前記表示ステップで表示させる表示制御ステップとをさらに備えたことを特徴とするコンタクト情報処理プログラム。
【請求項６８】
請求項６７に記載のコンタクト情報処理プログラムにおいて、前記チェック項目は過去に電子名刺を他のコンタクト情報処理システムから受信しており、および当該受信した電子名刺の送り主に対して、電子名刺を返信したか否かであることを特徴とするコンタクト情報処理プログラム。
【請求項６９】
請求項６８に記載のコンタクト情報処理プログラムにおいて、前記チェックステップにより電子名刺を返信していないことが検出された場合には、前記表示制御ステップは返信のための電子名刺の作成を促すメッセージを前記表示ステップにより表示させることを特徴とするコンタクト情報処理プログラム。
【請求項７０】
請求項６７に記載のコンタクト情報処理プログラムにおいて、前記チェック項目はコンタクト情報処理システムの電子名刺に係わる初期設定が行われたか否かであることを特徴とするコンタクト情報処理プログラム。
【請求項７１】
請求項７０に記載のコンタクト情報処理プログラムにおいて、前記チェックステップにより前記初期設定が行われていないことが検出された場合には、前記表示制御ステップは初期設定を促すメッセージを前記表示ステップにより表示させることを特徴とするコンタクト情報処理プログラム。
【請求項７２】
請求項７１に記載のコンタクト情報処理プログラムにおいて、前記初期設定は、コンタクト情報処理システムのユーザの電子名刺の作成であることを特徴とするコンタクト情報処理プログラム。
【請求項７３】
請求項７２に記載のコンタクト情報処理プログラムにおいて、前記情報処理ステップは、電子名刺を作成するためのステップと前記初期設定を促すメッセージが表示された場合には、前記電子名刺を作成するためのステップの起動を指示するステップとをさらに備えたことを特徴とするコンタクト情報処理プログラム。
【請求項７４】
請求項６７に記載のコンタクト情報処理プログラムにおいて、前記チェックステップは提案に対応するチェック項目がクリアされたか否かをも判定し、チェック項目がクリアされた場合には、前記表示ステップによる表示を行わないように制御することを特徴とするコンタクト情報処理プログラム。
【請求項７５】
請求項５７に記載のコンタクト情報処理プログラムにおいて、前記情報処理ステップは、他のコンタクト情報処理システムに対して調査の依頼内容を含む調査依頼を作成するステップと、調査依頼の送付先のメールアドレスを指示する指示ステップとを有し、当該指示されたメールアドレスに対して前記通信ステップは作成された電子名刺を電子メールにより送信することを特徴とするコンタクト情報処理プログラム。
【請求項７６】
請求項７５に記載のコンタクト情報処理プログラムにおいて、前記調査依頼は電子名刺に関連する情報の調査依頼であることを特徴とするコンタクト情報処理プログラム。
【請求項７７】
請求項７５に記載のコンタクト情報処理プログラムにおいて、前記調査依頼は他のコンタクト情報処理システムの記憶手段に記憶された関連情報の調査依頼であることを特徴とするコンタクト情報処理プログラム。
【請求項７８】
請求項７５から７７のいずれかに記載のコンタクト情報処理プログラムにおいて、前記通信ステップは他のコンタクト情報処理システムから受信した回答を受信し、前記情報処理ステップは、当該受信した複数の回答をとりまとめるステップをさらに備えることを特徴とするコンタクト情報処理プログラム。
【請求項７９】
請求項７５から７７のいずれかに記載のコンタクト情報処理プログラムにおいて、前記情報処理ステップは、他のコンタクト情報処理システムから調査依頼を前記通信ステップにより受信した場合に当該受信した調査依頼に対する回答を作成するステップをさらに有し、当該作成された回答を前記通信ステップにより調査依頼主に対して電子メールにより送信することを特徴とするコンタクト情報処理プログラム。
【請求項８０】
請求項７９に記載のコンタクト情報処理プログラムにおいて、前記調査依頼の中には検索のためのキーワードが含まれており、前記回答を作成するステップは、前記キーワードを使用して保有する電子名刺および／または記憶手段に記憶された関連情報の検索し、該検索の結果が前記回答の作成に使用されることを特徴とするコンタクト情報処理プログラム。
【請求項８１】
請求項８０に記載のコンタクト情報処理プログラムにおいて、前記検索の結果から前記回答の作成に使用する情報を選択する選択ステップを前記情報処理ステップがさらに備えたことを特徴とするコンタクト情報処理プログラム。
【請求項８２】
請求項８１に記載のコンタクト情報処理プログラムにおいて、前記情報処理ステップは、前記検索によりキーワードに該当する情報が得られない場合に調査依頼の転送先のメールアドレスを指示する指示ステップとをさらに有し、前記通信ステップは当該指示されたメールアドレスに、前記通信ステップにより受信した調査依頼を転送することを特徴とするコンタクト情報処理プログラム。
【請求項８３】
請求項５７に記載のコンタクト情報処理プログラムにおいて、
前記情報処理ステップは、複数のコンタクト情報をＷＥＢページの形態で提供するステップと、前記ＷＥＢページを使用して前記他のコンタクト情報処理システムから要求された特定のコンタクト情報の電子名刺を提供するステップとをさらに備えたことを特徴とするコンタクト情報処理プログラム。
【請求項８４】
請求項８３に記載のコンタクト情報処理プログラムにおいて、前記提供するステップにより提供される電子名刺にはコンタクト情報を識別するためのＩＤ情報が含まれており、電子名刺を提供した相手に対して該ＩＤに対応するニュース等の情報を前記関連情報として提供可能としたことを特徴とするコンタクト情報処理プログラム。
【請求項８５】
請求項５に記載のコンタクト情報処理システムにおいて、さらに、更新前の電子名刺を他のコンタクト情報処理システムに送った場合には、前記通信手段は、そのメールアドレスに対して前記更新の電子名刺を転送することを特徴とするコンタクト情報処理システム。
【請求項８６】
請求項１に記載のコンタクト情報処理システムにおいて、前記通信手段は電子名刺に含まれる電子名刺情報を使用しコンタクト情報を暗号化して送信することを特徴とするコンタクト情報処理システム。
【手続補正２】
【補正対象書類名】明細書
【補正対象項目名】００１２
【補正方法】変更
【補正の内容】
【００１２】
本発明によれば、前記情報処理手段は、過去に送った電子名刺に対する更新を検出する検出手段と、当該検出された更新の電子名刺を過去に送ったメールアドレスを前記表示手段に表示させる表示制御手段とをさらに備えてもよい。
【手続補正３】
【補正対象書類名】明細書
【補正対象項目名】００１３
【補正方法】変更
【補正の内容】
【００１３】
本発明によれば、前記情報処理手段は、前記表示手段により表示された更新の電子名刺のメールアドレスの中から、更新の電子名刺を送信するメールアドレスをユーザの操作で指示する指示手段をさらに有し、当該指示されたメールアドレスに対して、更新された電子名刺を前記通信手段により送信してもよい。